(57)【要約】【課題】本発明は、比較的に優れた電気性能を有し、組立を容易にする電気コネクタ端子を提供する【解決手段】本発明の電気コネクタ端子は、ソケット電気コネクタの絶縁ハウジングの端子収容穴に固着される主本体部と、該主本体部から延出される半田付け部及び弾性部を含んでいる。前記主本体部は電気コネクタの導電端子を絶縁ハウジングに組立過程にソケット電気コネクタの絶縁ハウジングの側壁に概略平行している。前記半田付け部は回路基板に半田付けられるために該主本体部の端部から垂直方向に延出され、前記弾性部は折部及び回路基板に電気的に接続している湾曲部を含み、該折部は前記主本体部の側壁と連接され、かつ該折部と主本体部は鈍角に設置されるので、湾曲部は前記端子収容穴の対角線の概略方向に延伸され、該湾曲部の長さを延長することになる。【選択図】　　　図１
2004014507.tif 000002
【特許請求の範囲】
【請求項１】
電気コネクタの絶縁ハウジング内に固着される主本体部と、前記主本体部の下端部から延出され、下方回路基板に半田付けている半田付け部と、
前記主本体部の一側面から延出される折部及び該折部の上端部から延伸される湾曲部が設けられ、上方回路基板に電気的に接続している弾性部と、を含み、
前記主本体部と前記弾性部の折部との間は非直角に設置されていることを特徴とする電気コネクタ端子。
【請求項２】
前記主本体部の対向した両側面に前記絶縁ハウジングと係合するための複数の引掛部が設けられていることを特徴とする請求項１記載の電気コネクタ端子。
【請求項３】
前記主本体部と前記弾性部の折部との間は鈍角に設置されていることを特徴とする請求項１記載の電気コネクタ端子。
【請求項４】
前記主本体部と前記弾性部の折部との間は一般に１４５°に設置されていることを特徴とする請求項１記載の電気コネクタ端子。
【請求項５】
前記弾性部は下方から上方へ漸次に小さく設置されていることを特徴とする請求項１記載の電気コネクタ端子。
【請求項６】
前記湾曲部の自由端に上方回路基板の接触端と対応して電気的に接続される円弧状の接触部が設けられていることを特徴とする請求項１記載の電気コネクタ端子。
【請求項７】
前記半田付け部は前記主本体部の下端部から垂直に延出されることを特徴とする請求項１記載の電気コネクタ端子。
【請求項８】
上方回路基板と、下方回路基板とを電気的に接続するために用いられる電気コネクタであって、
複数の端子収容穴を設けている絶縁ハウジングと、
前記端子収容穴にいっしょに挿入され、主本体部、下方回路基板に半田付けられる半田付け部及び上方回路基板に電気的に接続される弾性部を具備し、該弾性部には該主本体部から延出される湾曲部を有している複数の導電端子と、を含み、
前記主本体部と前記弾性部の折部との間は非直角に設置されていることを特徴とする電気コネクタ。
【請求項９】
前記導電端子は前記端子収容穴に対応していっしょに挿入され、該挿入過程に導電端子の主本体部は電気コネクタの絶縁ハウジングの側面に概略平行していることを特徴とする請求項８記載の電気コネクタ。
【請求項１０】
前記主本体部の対向した両側面に前記絶縁ハウジングと係合するための複数の引掛部が設けられることを特徴とする請求項９記載の電気コネクタ。
【請求項１１】
前記主本体部と前記弾性部の折部との間は鈍角に設置されていることを特徴とする請求項８記載の電気コネクタ。
【請求項１２】
前記弾性部は下方から上方へ漸次に小さく設置されていることを特徴とする請求項８記載の電気コネクタ。
【請求項１３】
前記湾曲部は前記折部の上端部から波状で上方へ絶縁ハウジングの端子収容穴の対角線方向に延出されていることを特徴とする請求項９記載の電気コネクタ。
【請求項１４】
前記湾曲部の自由端に上方回路基板の接触端と対応して電気的に接続される円弧状の接触部が設けられていることを特徴とする請求項１３記載の電気コネクタ。
【請求項１５】
前記半田付け部は前記主本体部の端部から垂直に延出されることを特徴とする請求項８記載の電気コネクタ。
【請求項１６】
上方回路基板と、下方回路基板とを電気的に接続するために用いられる電気コネクタであって、
複数の端子収容穴を設けている絶縁ハウジングと、
端子を前記絶縁ハウジングに固着するために用いられ、該絶縁ハウジングの長手方向に平面を設けている主本体部と、前記主本体部の下端部から延出され、下方回路基板に接続している半田付け部及び、前記主本体部の下端部から延出され、上方回路基板に電気的に接続され、湾曲部が設けられる弾性部を含み、それぞれ前記端子収容穴に収容される複数の導電端子と、を備え、
前記弾性部の湾曲部には接触部が設けられ、かつ該接触部は前記主本体部の長手方向に対して非平行方向に延伸されていることを特徴とする電気コネクタ。
【請求項１７】
全体弾性部はいずれも主本体部の長手方向に非平行していることを特徴とする請求項１６記載の電気コネクタ。
【請求項１８】
複数の端子収容穴を設けている絶縁ハウジングと、
主本体部と、前記主本体部の下端部から延出され、回路基板に半田付けされる半田付け部と、上方に延伸される板状の折部及び湾曲部を有し、該折部の下端部は前記主本体部の側縁に接続され、該湾曲部は折部の上端から主本体部へ概略水平方向に延出され、その自由端に上方へ延伸される接触部が設けられ、別の回路基板の接触端に接触している弾性部を含み、それぞれ前記端子収容穴に収容される複数の導電端子と、を備え、
前記主本体部と前記弾性部の折部との間は非直角に設置されていることを特徴とするランドグリッドアレイソケット。
【発明の詳細な説明】
【０００１】
【発明の属する技術分野】
本発明は、電気コネクタ端子に関し、特に比較的に優れた電気性能を有し、組立しやすい電気コネクタ端子に関するものである。
【０００２】
【従来の技術】
コンピューターが小型に傾く発展にしたがって、ソケット電気コネクタもますます形が小さくなる傾向に発展している。当該ソケット電気コネクタは絶縁ハウジング及び端子を含んでいる。寸法が低減され、特に端子の寸法が低減されるので、端子と電子パッケージ（例えば、中央処理ユニット）のピンとを当接する際に過大な圧力を生じ、端子を損害してしまう虞がある。従来、該欠点を解決する技術（特許文献１及び特許文献２参照）は主に端子構造の改造によって、比較的に優れた電気性能及び機械性能を持っている端子の接触アームを獲得する。その他一種の従来の技術（特許文献３及び特許文献４参照）は端子とソケットの絶縁ハウジングとの配列方式を改造するもので、ソケットのベースに端子を収容するためのグリッドの端子収容穴が配列され、各列の端子収容穴はベースの側面と所定な角度（４５°最適）に形成され、このようになっていると、隣の端子間の距離を増え理想の電気性能を達成することになる。しかし、現在の端子の製造技術に制限されるので、端子はベースの端子収容穴に同時で精確に組立することはできない。また、端子収容穴は４５°に設置されるので、金型の芯も４５°に設置され、芯の製造の複雑度を増加してしまう。
【０００３】
【特許文献１】
米国特許第５８６０８３８号明細書
【特許文献２】
米国特許第６２２７８６９号明細書
【特許文献３】
米国特許第４７５０８９１号明細書
【特許文献４】
米国特許第５５１８４２６号明細書
【０００４】
【発明が解決しようとする課題】
本発明は、比較的に優れた電気性能を有し、組立を容易にする電気コネクタ端子を提供することを目的とする。
【０００５】
【課題を解決するための手段】
本発明の電気コネクタ端子は、ソケット電気コネクタの絶縁ハウジングの端子収容穴に固着される主本体部と、該主本体部から延出される半田付け部及び弾性部を含んでいる。前記主本体部は電気コネクタの導電端子を絶縁ハウジングに組立過程にソケット電気コネクタの絶縁ハウジングの側壁に概略平行している。前記半田付け部は回路基板に半田付けられるために該主本体部の端部から垂直方向に延出され、前記弾性部は折部及び回路基板に電気的に接続している湾曲部を含み、該折部は前記主本体部の側壁と連接され、かつ該折部と主本体部は鈍角に設置されるので、湾曲部は前記端子収容穴の対角線の概略方向に延伸され、該湾曲部の長さを延長することになる。
【０００６】
【発明の実施の形態】
図１は本発明の電気コネクタ端子１の斜視図であって、該電気コネクタ端子１は電気コネクタソケット（例えば、ランドグリッドアレイソケット）に用い、上方プリント回路基板と下方プリント回路基板（図示せず）とを電気的に接続している。
【０００７】
図２乃至図５を参照すると、該電気コネクタ端子１は主本体部１０、半田付け部１２及び弾性部１６を含む。該主本体部１０の下方に固着部１１が設けられ、該半田付け部１２は下方回路基板に半田付けるために前記固着部１１の端部から垂直方向に延出され、該弾性部１６は前記主本体１０の側面１３から延出され、折部１７を設けている。該折部１７と前記主本体部１０とは角度がαに設置され、かつαは１４５°が望ましい。該主本体部１０は固着部１１の両側面１３に複数の引掛部１４が設けられ、電気コネクタ１を電気コネクタソケット２の絶縁ハウジング２２の端子収容穴２４に固着するように構成されている。。
【０００８】
前記弾性部１６は、折部１７及び該折部１７の上端部から延出される湾曲部１８を含み、かつ湾曲部１８は下方から上方へ漸次に小さく設置されている（図４に示すように）。該湾曲部１８は自由端に円弧状の接触部１９が設けられる。上方回路基板の接触端は該接触部１９を対応して押圧する際に（図示せず）、該接触部１９は該回路基板の接触端と電気的に導通している。したがって、前記湾曲部１８は上方回路基板から与える圧力を受けるために十分な長さが必要とされる。図４に示すように、前記条件を満足するために、前記折部１７と主本体部１０との間は角度αが１４５°に設置されることによって、該湾曲部１８は電気コネクタソケット２の絶縁ハウジング２２の端子収容穴２４の対角線の概略方向に延伸され、該湾曲部１８が端子収容穴２４に最大な長さを達成される。だから、該湾曲部１８は上方回路基板から与える圧力を十分に抵抗することになる。
【０００９】
図６に示すように、該電気コネクタ端子１の組立過程において、端子ストリップ（図示せず）から延出される電気コネクタ端子１は絶縁ハウジング２２の上方に絶縁ハウジング２２の端子収容穴２４にいっしょに挿入される。特に、組立過程に、電気コネクタ端子１の主本体部１０は絶縁ハウジング２２及び端子収容穴２４の長手方向に応じた両側面と平行している。だから、本発明の電気コネクタ端子１を絶縁ハウジング２２に組立した工程は一回だけ必要で、従来の端子の組立技術より簡単になる。かつ各湾曲部１８は端子収容穴２４の対角線の方向に延伸される。したがって、本発明の電気コネクタ端子１の湾曲部１８は比較的に優れた弾性を有し、上方回路基板と電気コネクタソケット２を結合する時に操作要求を満足している。
【００１０】
前記実施の形態は単に本願のより良い実施の形態にすぎず、本発明の請求範囲を限定するものではなく、当業者が本発明に基づいてなしうる細部の修正或いは変更などは、いずれも本発明の特許請求の範囲に属するものとする。
【図面の簡単な説明】
【図１】本発明の電気コネクタ端子の斜視図である。
【図２】図１に示す電気コネクタ端子の右側面図である。
【図３】図１に示す電気コネクタ端子の正面図である。
【図４】図１に示す電気コネクタ端子を上面から見た図である。
【図５】図４に示すＶ−Ｖ方向の側面図である。
【図６】図１に示す電気コネクタ端子がソケット電気コネクタに組立された状態を上面から見た図である。
【符号の説明】
１　電気コネクタ端子
２　電気コネクタソケット
１０　主本体部
１１　固着部
１２　半田付け部
１３　側面
１４　引掛部
１６　弾性部
１７　折部
１８　湾曲部
１９　接触部
２２　絶縁ハウジング
２４　端子収容穴
【図１】
2004014507.tif 000003
【図２】
2004014507.tif 000004
【図３】
2004014507.tif 000005
【図４】
2004014507.tif 000006
【図５】
2004014507.tif 000007
【図６】
2004014507.tif 000008